(57)【特許請求の範囲】
【請求項１】
入金を伴う取引を行う取引手段と、
上記取引手段が取引を行う際に、オペレータの識別情報を取得する識別情報取得手段と、
上記取引手段が行った取引内容を印字したレシートを発行する印字手段と、
上記識別情報取得手段が取得した識別情報に応じて、上記印字手段の動作内容を決定し、決定した動作内容に従って上記印字手段を制御する印字制御手段とを有し、
上記印字制御手段は、上記識別情報取得手段が取得した識別情報に応じて、発行するレシートの内容を変更するか否かを判断し、発行するレシートの内容を変更すると判断した場合、内容変更後のレシートを発行し、
上記印字制御手段は、発行するレシートの内容を変更すると判断した場合、発行するレシートの内容のうち入金に係る文字又は数字について所定の記号に置き換える
ことを特徴とする取引装置。
【請求項２】
識別情報を含むカード情報が記録されたカードのカード情報を読取るカード処理部をさらに備え、
上記識別情報取得手段は、上記カード処理部が読取ったカード情報から識別情報を取得する
ことを特徴とする請求項１に記載の取引装置。
【発明の詳細な説明】
【技術分野】
【０００１】
この発明は、取引装置に関し、例えば、金融機関、運輸機関（例えば、代金引換等の現金の取り扱いを伴う運輸業の事務所）、小売店等で現金の管理及び入出金を行う現金管理機に適用し得る。
【背景技術】
【０００２】
現在、金融機関、運輸機関、小売店等において、現金の入金や出金を行う取引装置として現金管理機が導入されている。
【０００３】
従来の現金管理機１としては、例えば、特許文献１に記載された装置がある。
【０００４】
特許文献１に記載された装置は、売上金の入金を受付けて、レシートを出力し、誰がいくら入金したか等を管理することができるものである。
【先行技術文献】
【特許文献】
【０００５】
【特許文献１】特開２０１０−２０５０９号公報
【発明の概要】
【発明が解決しようとする課題】
【０００６】
従来の現金管理機では、売上金の入金を受けつけて、入金された金額等を印字したレシートを発行することになる。しかしながら、入金した者が当該現金管理機を設置したユーザ企業と異なる企業の者（例えば、業務受託社やアルバイト等）が、現金管理機に売上金等の現金を入金した場合、発行されるレシートは取引上領収書として扱われることになるため、当該レシートは法律上収入印紙を貼りつける必要がある。すなわち、従来の現金管理機では、入金を伴う取引を行う場合、オペレータによっては、レシート発行に収入印紙分のコストがかかってしまう場合があるという問題があった。
【０００７】
そのため、入金を伴う取引を行う際に、効率的にレシート発行を行うことができる取引装置が望まれている。
【課題を解決するための手段】
【０００８】
本発明の取引装置は、（１）入金を伴う取引を行う取引手段と、（２）上記取引手段が取引を行う際に、オペレータの識別情報を取得する識別情報取得手段と、（３）上記取引手段が行った取引内容を印字したレシートを発行する印字手段と、（４）上記識別情報取得手段が取得した識別情報に応じて、上記印字手段の動作内容を決定し、決定した動作内容に従って上記印字手段を制御する印字制御手段とを有し、（５）上記印字制御手段は、上記識別情報取得手段が取得した識別情報に応じて、発行するレシートの内容を変更するか否かを判断し、発行するレシートの内容を変更すると判断した場合、内容変更後のレシートを発行し、（６）上記印字制御手段は、発行するレシートの内容を変更すると判断した場合、発行するレシートの内容のうち入金に係る文字又は数字について所定の記号に置き換えることを特徴とする。
【発明の効果】
【０００９】
本発明によれば、入金を伴う取引を行う際に、効率的にレシート発行を行う取引装置を提供することができる。
【図面の簡単な説明】
【００１０】
【図１】第１の実施形態に係る現金管理機の機能的構成について示したブロック図である。
【図２】第１の実施形態に係る現金管理機の外観の斜視図である。
【図３】第１の実施形態に係る現金管理機の動作の例について示したフローチャートである。
【図４】第２の実施形態に係る現金管理機が発行するレシートの例について示した説明図である。
【図５】第２の実施形態に係る現金管理機の動作の例について示したフローチャートである。
【発明を実施するための形態】
【００１１】
（Ａ）第１の実施形態
以下、本発明による現金処理装置の第１の実施形態を、図面を参照しながら詳述する。以下では、本発明の取引装置を、現金管理機に適用した場合の例について説明する。
【００１２】
（Ａ−１）第１の実施形態の構成
図１は、第１の実施形態の現金管理機の機能的構成について示したブロック図である。また、図２は、現金管理機１の外観を示す斜視図である。
【００１３】
なお、図１、図２に示した現金管理機１の構成や外観は一例であり、一部の構成要素を省略したり、追加したり、或いは、変更したりしてもよい。
【００１４】
現金管理機１は、例えば、金融機関、運輸機関、小売店等で現金の管理及び入出金を行うものである。
【００１５】
現金管理機１は、例えば、現金の入金を伴う取引（以下、「入金取引」とよぶ）、及び現金の出金を伴う取引（以下、「出金取引」と呼ぶ）等を行うものである。なお、現金管理機１が対応する取引処理については上述のものに限定されず他の取引に対応するようにしてもよい。また、現金管理機１が対応する取引は入金取引又は出金取引の一方だけであってもよい。
【００１６】
また、この実施形態において、現金管理機１には、取引した履歴のデータを送付して保持させるための管理端末２が接続されているものとする。
【００１７】
現金管理機１は、図１に示すように、制御部１０、紙幣処理部１２、硬貨処理部１３、記憶部１４、表示部１５、入力部１６、カード処理部１７、及び印字手段としての印刷部１８を有している。
【００１８】
制御部１０は、現金管理機１の各部の動作を制御する機能を担っているものである。また、記憶部１４は、制御部１０が情報処理を行うために必要な各種情報等を格納するデータ記憶手段であり、例えば、各種メモリ等により構成することができる。
【００１９】
制御部１０は、例えば、プロセッサ等を含むプログラムの実施構成（コンピュータ）に実施形態の制御プログラム（図１に示す制御部１０内部の各構成要素に係るプログラムを含む）等をインストールすることにより実現することができる。上述のプログラムは、例えば、記憶部１４に記憶しておき、現金管理機１が起動したときに、制御部１０が読み込んで実行するようにしても良い。
【００２０】
表示部１５は、オペレータに情報を出力するためのデバイス（ユーザインタフェース）であり、ここでは液晶ディスプレイにより構成されているものとする。
【００２１】
入力部１６は、オペレータからの操作や情報入力を受付けるためのデバイス（ユーザインタフェース）であり、ここでは、複数の操作キーにより構成されているものとする。
【００２２】
この実施形態では、現金管理機１が備えるユーザインタフェースは、表示部１５と入力部１６で構成されているものとするが、ユーザインタフェースの具体的な構成については限定されないものである。例えば、タッチパネルディスプレイ等のデバイスを用いてユーザインタフェースを構成するようにしてもよい。
【００２３】
カード処理部１７は、オペレータが所持するカード（以下、「ＩＤカード」とも呼ぶ）に記録された情報を読取るものである。カード処理部１７が対応するＩＤカードのデータ記録方式については限定されないものであるが、例えば、磁気ストライプ（磁気データが記録されたデータ記録媒体）が付けられたカードや、データが符号化された画像（例えば、バーコードや二次元コード等の画像）が表面に印刷されたカード等を適用することができる。
【００２４】
この実施形態のカード処理部１７は、ＩＤカードのデータを読み取るためのデバイスとして、磁気ストライプが付けられたＩＤカードのデータを読取るためのカードリーダ１７１と、ＩＤカード表面のバーコードを読取り可能なバーコードリーダ１７２を備えているものとする。
【００２５】
カードリーダ１７１は、ＩＤカードが挿入されると当該ＩＤカードの磁気ストライプのデータを読込むことができる。バーコードリーダ１７２は、ハンディタイプ（手持ち式）であり、オペレータの操作によりＩＤカード表面のバーコードの画像をスキャンすると、当該画像に基づくディジタルデータを復号することによりデータを取得することができる。
【００２６】
以上のように、カード処理部１７では、オペレータが所持するＩＤカードに記録されたデータを取得することができる。ここでは、カード処理部１７がＩＤカードから取得するデータには、少なくとも当該ＩＤカードを所持するオペレータを識別するための識別情報（以下、単に「ＩＤ」とも表すものとする）が含まれているものとする。
【００２７】
紙幣処理部１２は、制御部１０の制御に応じて、顧客から入金された紙幣を収納する機能と、収納されている紙幣を顧客に出金する機能を担っている。
【００２８】
硬貨処理部１３は、制御部１０の制御に応じて、顧客から入金された硬貨を収納する機能と、収納されている硬貨を顧客に出金する機能を担っている。
【００２９】
印刷部１８は、制御部１０の制御に応じて、当該現金管理機１で行われた取引結果について印刷用紙に印字したレシートの排出を行うものである。
【００３０】
次に、制御部１０が行う具体的な制御処理について説明する。
【００３１】
制御部１０は、オペレータの操作に応じて取引処理を行う取引手段としての取引処理部１０１、及び取引処理部１０１で行った取引内容に応じた内容を印字したレシートを印刷部１８に印字させる印字制御手段としての印字制御部１０２を有している。
【００３２】
取引処理部１０１は、入力部１６に対するオペレータ操作に応じてオペレータと取引を開始し、現金の入金処理（紙幣処理部１２や硬貨処理部１３で現金の投入を受付けて収納する処理）や、現金の出金処理（紙幣処理部１２や硬貨処理部１３から収納している現金を排出する処理）を行う。
【００３３】
取引処理部１０１は、取引に際して、オペレータに対して、オペレータを識別（認証）するためのＩＤ等の入力を要求し、入力された情報に基づいて取引を行うオペレータを識別（認証）する。そして、取引処理部１０１は、オペレータと行った取引の情報を取引履歴として、記憶部１４に記憶する。取引処理部１０１がオペレータからＩＤの入力を受付ける方法については限定されないものである。この実施形態では、各オペレータはＩＤカードを所持しており、取引処理部１０１は、取引に際して各オペレータに対してカード処理部１７にＩＤカードのデータを読み込ませることを要求するものとする。これにより、取引処理部１０１は、取引に際してオペレータの識別や認証を行うことが可能となる。以上のように、取引処理部１０１は、オペレータのＩＤを取得する識別情報取得手段としても機能する。
【００３４】
そして、印字制御部１０２は、印刷部１８を制御して、取引処理部１０１が行った取引内容等を印字したレシートを発行させる処理を行う。具体的には、印字制御部１０２は、取引の種類ごとに対応する様式（フォーマット）に、取引金額や入金を行ったオペレータのＩＤ等の各パラメータを表示したレシートを印刷部１８に印字させる。
【００３５】
ただし、入金取引が行われた場合、印字制御部１０２は、オペレータに係る属性に応じた動作を行う。具体的には、印字制御部１０２は、入金取引が行われた場合、オペレータに係る属性に応じて、レシートの発行を行うか否かを判断し、レシートの発行を行うと判断した場合のみ、印刷部１８にレシートを発行させる。印字制御部１０２が、オペレータの属性を認識する方法については限定されないものであるが、この実施形態では、取引処理部１０１が取引に際して取得したオペレータのＩＤ（カード処理部１７で読み込まれたＩＤ）に基づいて、当該オペレータの属性を認識するものとする。言い換えると、印字制御部１０２は、オペレータの識別情報（ＩＤ）に応じた制御処理を行う。
【００３６】
この実施形態では、ＩＤの桁数や所定の桁の値（例えば、上位の１桁の値）で、当該ＩＤに係るオペレータがレシートの発行対象となるオペレータ（以下、「レシート発行対象オペレータ」と呼ぶ）であるか、レシートの発行を行わないオペレータ（以下、「レシート発行非対象オペレータ」と呼ぶ）であるかを判断するものとする。例えば、複数桁の数字でＩＤが構成される場合に、上位１桁の値が０のＩＤに係るオペレータをレシート発行対象オペレータとし、上位１桁の値が０以外のＩＤに係るオペレータをレシート発行非対象オペレータとすることが挙げられる。例えば、現金管理機１を設置したユーザ企業に所属する者（入金取引のレシートを発行しても収入印紙を必要としないオペレータ）についてはレシート発行対象オペレータとし、当該ユーザ企業には所属しないが当該ユーザ企業から業務を依頼されている者（入金取引のレシートを発行すると収入印紙が必要となるオペレータ）についてはレシート発行非対象オペレータとするようにしてもよい。
【００３７】
以上のように、この実施形態において、印字制御部１０２は、オペレータのＩＤ（カード処理部１７で読み込まれた識別情報としてのＩＤ）に応じて、レシート発行の有無を判断し、その判断結果に従って、印刷部１８を制御する処理を行う。
【００３８】
（Ａ−２）第１の実施形態の動作
次に、以上のような構成を有する第１の実施形態の現金管理機１の動作を説明する。
【００３９】
図３は、第１の実施形態に係る現金管理機１で入金取引が行われた場合の動作について示したフローチャートである。
【００４０】
まず、オペレータにより、ＩＤカードの読取操作が行われたものとする（Ｓ１０１）。具体的には、カードリーダ１７１へのＩＤカード挿入又は、バーコードリーダ１７２を用いたＩＤカード表面のバーコード読込みの操作が行われたものとする。これにより、制御部１０（取引処理部１０１）では、当該オペレータのＩＤを取得することができる。
【００４１】
次に、制御部１０（取引処理部１０１）は、オペレータに対してパスワード（ＩＤに対応するパスワード）の入力を要求し、パスワードの入力（入力部１６に対する入力）が行われ、認証処理を行ったものとする（Ｓ１０２）。なお、制御部１０（取引処理部１０１）は、例えば、表示部１５にパスワード入力を要求して受付けるための操作画面を表示するようにしてもよい。また、制御部１０（取引処理部１０１）が認証を行う方式（パスワードを照合する方式）については限定されないものであるが、例えば、予めＩＤごとのパスワードを記憶して照合するようにしてもよいし、外部の図示しない認証サーバ等を用いて認証処理を行うようにしてもよい。以下では、このステップＳ１０２の認証は成功したものとして説明する。
【００４２】
次に、制御部１０（取引処理部１０１）は、表示部１５に実行する取引の種類を選択させる操作画面（メニュー画面）を表示させ、オペレータから取引の種類の選択を受付ける（Ｓ１０３、Ｓ１０４）。ここでは、オペレータから入金取引が選択（入金選択）されたものとして以下の説明を行う。
【００４３】
次に、制御部１０（取引処理部１０１）は、オペレータに現金の投入を要求（表示部１５から現金投入を要求するメッセージ等を表示出力）し、オペレータから現金の投入（紙幣処理部１２及び硬貨処理部１３での現金投入）を受付けたものとする（Ｓ１０５）。
【００４４】
次に、制御部１０（取引処理部１０１）は、紙幣処理部１２及び硬貨処理部１３を制御して投入された現金を計数させ、その計数結果を表示部１５に表示する（Ｓ１０６）。
【００４５】
また、制御部１０（取引処理部１０１）は、オペレータから計数結果が入金金額として正しいことの確認（例えば、入力部１６の所定キー押下による確認）を受付けたものとする（Ｓ１０７）。
【００４６】
次に、制御部１０（取引処理部１０１）は、今回計数した入金金額を記憶（保持）する（Ｓ１０８）。
【００４７】
そして、制御部１０（取引処理部１０１）は、紙幣処理部１２及び硬貨処理部１３を制御して、計数及び確認された現金を収納させる（Ｓ１０９）。
【００４８】
そして、制御部１０（取引処理部１０１）は、今回行った入金取引に従って記憶部１４の履歴情報を更新（入出金情報更新の処理）する処理を行う（Ｓ１１０）。
【００４９】
次に、制御部１０（印字制御部１０２）は、オペレータのＩＤ（上述のステップＳ１０１で取得したＩＤ）の内容を確認しＩＤの上位１桁が０の場合のみ、レシート発行を行うと判断し、印刷部１８を制御してレシートを発行させ（Ｓ１１１、Ｓ１１２）、取引を終了する。
【００５０】
制御部１０（取引処理部１０１）は、取引終了に際して、今回の取引に係る情報(入金金額、オペレータのＩＤ等)を管理端末２に送信する処理を行う（Ｓ１１３）。なお、ステップＳ１１３の処理は省略するようにしてもよい。
【００５１】
一方、オペレータのＩＤ（上述のステップＳ１０１で取得したＩＤ）の内容を確認しＩＤの上位１桁が０以外である場合、制御部１０（印字制御部１０２）はレシート発行を行わないと判断し、レシートを発行せずに、今回の取引に係る情報(入金金額、オペレータのＩＤ等)を管理端末２に送信して取引を終了する（Ｓ１１１、Ｓ１１３）。
【００５２】
（Ａ−３）第１の実施形態の効果
第１の実施形態によれば、以下のような効果を奏することができる。
【００５３】
現金管理機１の印字制御部１０２は、オペレータの識別情報に応じて入金取引のレシートの発行を行うか否かを判断し、レシートの発行を行うと判断した場合のみレシート印字処理を行う。これにより、第１の実施形態の現金管理機１では、所定のオペレータ（例えば、現金管理機１を設置した組織とは異なる組織に所属する者等、レシートを発行すると収入印紙の貼付が必要となるオペレータ）に対してレシートを発行しないという処理を行うことができる。これにより、第１の実施形態の現金管理機１では、所定のオペレータに対してレシートを発行しないため、収入印紙を貼付する費用を抑制することができる。すなわち、第１の実施形態の現金管理機１では、レシートを発行するのに必要なコストを低減（節税）することができる。
【００５４】
（Ｂ）第２の実施形態
以下、本発明による現金処理装置の第２の実施形態を、図面を参照しながら詳述する。以下では、本発明の取引装置を、現金管理機に適用した場合の例について説明する。
【００５５】
（Ｂ−１）第２の実施形態の構成
第２の実施形態の現金管理機１の構成は、第１の実施形態と同様に上述の図１、図２を用いて示すことができる。以下では、第２の実施形態の現金管理機１の構成及び動作について第１の実施形態との差異を説明する。
【００５６】
第１の実施形態において、印字制御部１０２は、取引処理部１０１で入金取引が行われた場合、取得したオペレータのＩＤに応じて、レシートの印字（発行）を行うか否かを判断し、レシートの印字を行うと判断した場合のみレシート印字処理を行っていた。これに対して、第２の実施形態の印字制御部１０２は、取得したオペレータのＩＤに応じて、レシートに記載する内容の一部を変更するか否かを判断し、レシートに記載する内容の一部を変更すると判断した場合、変更後の内容のレシートを発行する処理を行う。変更後の内容のレシートとは、領収書として取り扱われない内容のレシート（すなわち、収入印紙の貼りつけが不要な内容のレシート）である。
【００５７】
具体的には、印字制御部１０２は、オペレータに係る属性に応じて、レシートに記載する文言の一部を制限する処理（例えば、「＊」等の記号に置き換える処理）を行う。この実施形態では、印字制御部１０２は、レシートに記載する内容の一部を変更すると判断した場合、レシートにおける「入金」という文言や、入金金額の数字を「＊」という意味を成さない所定の記号に置き換えるものとする。
【００５８】
具体的には、例えば、印字制御部１０２は、レシートについて図４に示すような変更を行う。図４（ａ）は内容を変更しない場合のレシートの印字内容であり、図４（ｂ）は内容を変更した場合のレシートの印字内容である。
【００５９】
図４（ｂ）では、入金に関連する文言や数字が全て「＊」の記号に置き換えられている。例えば、図４（ｂ）では、「入金」という文言が「＊＊」に置き換えられている。また、図４（ｂ）では、入金金額に係る数字や、入金された現金の金種ごとの枚数を示す数字等が全て「＊」に置き換えられている。
【００６０】
（Ｂ−２）第２の実施形態の動作
次に、以上のような構成を有する第２の実施形態の現金管理機１の動作を説明する。
【００６１】
図５は、第２の実施形態に係る現金管理機１で入金取引が行われた場合の動作について示したフローチャートである。図５では、上述の図３と同一又は対応する処理には同一のステップ番号（符号）を付している。
【００６２】
第２の実施形態の現金管理機１においても入金取引を行い、入出金情報を更新する処理まで（ステップＳ１０１〜Ｓ１１０の動作）については同様であるため詳しい説明を省略する。
【００６３】
ステップＳ１１０で、入出金情報を更新すると、制御部１０（印字制御部１０２）は、オペレータのＩＤ（上述のステップＳ１０１で取得したＩＤ）の内容を確認し、ＩＤの上位１桁が０でない場合のみ、発行するレシートの内容を変更（文言制限）する処理（入金を示す文字列及び数字を「＊」に変更する処理）を行う（Ｓ１１１、Ｓ１１４）。
【００６４】
そして、制御部１０（印字制御部１０２）は、印刷部１８を制御してレシートの内容を変更したレシートを印字させる処理を行い（Ｓ１１５）、取引を終了することになる。上述のステップＳ１１４の処理でレシートの内容が変更されている場合、制御部１０（印字制御部１０２）は、変更後の内容のレシートを発行することになる。
【００６５】
制御部１０（取引処理部１０１）は、取引終了に際して、今回の取引に係る情報(入金金額、オペレータのＩＤ等)を管理端末２に送信する処理を行う（Ｓ１１３）。なお、ステップＳ１１３の処理は省略するようにしてもよい。
【００６６】
一方、オペレータのＩＤ（上述のステップＳ１０１で取得したＩＤ）の内容を確認し、ＩＤの上位１桁が０である場合、制御部１０（印字制御部１０２）は印刷部１８を制御してレシートの内容を変更しない通常のレシートを発行し、今回の取引に係る情報(入金金額、オペレータのＩＤ等)を管理端末２に送信して取引を終了する（Ｓ１１５、Ｓ１１３）。
【００６７】
（Ｂ−３）第２の実施形態の効果
第２の実施形態によれば、以下のような効果を奏することができる。
【００６８】
第２の実施形態では、オペレータに係る属性に応じて、レシートに記載する内容の一部を変更（例えば、「＊」等の所定の記号に変更）して発行する処理を行う。これにより、第２の実施形態の現金管理機１では、入金取引に際して、所定のオペレータについては、発行しても領収書の扱いとはならない内容のレシートを発行することができるため、第１の実施形態と同様に収入印紙を貼付する費用が削減される。また、第２の実施形態では、どのオペレータに対してもレシート自体は発行されるため、第１の実施形態よりも、利便性が高くなる。
【００６９】
（Ｃ）他の実施形態
本発明は、上記の各実施形態に限定されるものではなく、以下に例示するような変形実施形態も挙げることができる。
【００７０】
（Ｃ−１）上記の各実施形態では、本発明の取引装置を現金管理機に適用する例について説明したが、入金及びレシートの発行が可能なその他の取引装置（例えば、ＡＴＭ（Ａｕｔｏｍａｔｅｄ  Ｔｅｌｌｅｒ  Ｍａｃｈｉｎｅ）や、自動販売機等）に本発明の取引装置を適用するようにしてもよい。
【００７１】
（Ｃ−２）上記の各実施形態において、現金管理機１は、ＩＤカード等のデータ記録媒体の情報を読み取ることにより、オペレータのＩＤを取得しているが、データ記録媒体を用いずにオペレータからの手入力（例えば、入力部１６に対する番号入力等）によりオペレータのＩＤを取得するようにしてもよい。
【００７２】
（Ｃ−３）上記の各実施形態の制御部１０（印字制御部１０２）は、入金取引が行われる際に、オペレータのＩＤに応じた動作を行うものとして説明したが、入金を伴わない他の取引のレシート（すなわち、領収書を必要としないレシート）については、オペレータのＩＤを問わず通常通り発行するようにしてもよい。
【符号の説明】
【００７３】
１…現金管理機、１０…制御部、１０１…取引処理部、１０２…印字制御部、１２…紙幣処理部、１３…硬貨処理部、１４…記憶部、１５…表示部、１６…入力部、１７…カード処理部、１７１…カードリーダ、１７２…バーコードリーダ、１８…印刷部、２…管理端末。
【図１】
0006515535.tif 000002
【図２】
0006515535.tif 000003
【図３】
0006515535.tif 000004
【図４】
0006515535.tif 000005
【図５】
0006515535.tif 000006